(57)【特許請求の範囲】
【請求項１】
キーロック状態である際に、入力された電話番号の上複数桁が予め設定した番号と同一であると、キーロック状態を解除すると共に、入力された電話番号を回線へ送出することを特徴とする通信装置。
【請求項２】
キーロック状態である際に、入力された番号が、予めメモリに記憶した電話番号の上複数桁と同一であると、キーロック状態を解除し、前記上複数桁の番号と続けて入力された電話番号とを、１つの電話番号として回線へ送出することを特徴とする通信装置。
【請求項３】
キーロック状態である際に、予め設定した市外局番が入力されるとキーロック状態を解除し、前記市外局番に続いて番号が入力されると、前記市外局番と当該市外局番に続いて入力された番号とを、１つの相手先の電話番号として回線へ送出することを特徴とする通信装置。
【請求項４】
電話番号を格納する電話番号格納手段と、電話番号を入力する為の電話番号入力手段と、
キーロック状態で、前記電話番号入力手段から番号の入力があると、当該入力された番号が前記電話番号格納手段に格納されている電話番号の上複数桁と一致するか否かを判定し、一致すれば、キーロック状態を解除すると共に前記入力された上複数桁の番号と続いて前記電話番号入力手段から入力された番号とを、１つの電話番号として回線へ送出するように制御する制御手段と、を有することを特徴とする通信装置。
【請求項５】
電話番号を格納する電話番号格納手段と、電話番号を入力する為の電話番号入力手段と、
キーロック状態で、前記電話番号入力手段から電話番号の入力があると、当該入力された電話番号の上複数桁が前記電話番号格納手段に格納されている電話番号と一致するか否かを判定し、一致すれば、キーロック状態を解除すると共に入力された電話番号を回線へ送出するように制御する制御手段と、を有することを特徴とする通信装置。
【発明の詳細な説明】
【０００１】
【発明の属する技術分野】
本発明は、特に携帯電話装置等の通信装置に関する。
【０００２】
【従来の技術】
通常の通信機器、例えば、携帯電話装置では、ユーザが携帯電話を鞄やポケットに入れていた際に、誤って発信ボタンやメール送受信ボタンが押下されることを防止する為のキーロック機能が搭載されている。
【０００３】
前記キーロック機能は、例えば、４桁の暗証番号を予め登録しておき、一致する４桁の暗証番号が入力されない限りキー入力を受け付けなくする機能である。
【０００４】
この為、前記キーロック機能により、誤ってキーが押下されることを防止できるだけでなく、携帯電話を紛失した際に他人に電話を使用されることを防止することもできる。
【０００５】
しかし、ユーザは相手先に電話をかける際に一々４桁の暗証番号を入力しなければならず、非常に面倒である。又、ユーザが１桁の暗証番号（例えば、１）を登録したいと考えている場合でも、４桁の暗証番号を登録する構成となっていれば、一々０００１とキー入力しなければならない。更に、暗証番号は通常数字のみで表現され、数字だけで表現される暗証番号は、他人が複数通りのキー入力を複数回試みることにより、偶然キーロックが解除される可能性がある。
【０００６】
このような問題を解決する為に、本願出願人は、特願２００２−０７８７０５号で、テンキーと該テンキー以外のキーの組合せによりキーロックを解除する方法を提案した。
【０００７】
【発明が解決しようとする課題】
しかし、テンキーと該テンキー以外のキーの組合せによりキーロックを解除する方法では、例えば０８５７の市外局番の入力をキーロック解除の為の入力とした場合、０８５７の市外局番である相手先に通話を行う際には、市外局番を２回入力しなければならないという問題が生じる。
【０００８】
【課題を解決するための手段】
本発明はこのような問題点を解決する為のものであり、キーロック状態である際に、入力された電話番号の上複数桁が予め設定した番号と同一であると、キーロック状態を解除すると共に、入力された電話番号を回線へ送出することを特徴とする。
【０００９】
請求項２に記載の通信装置は、キーロック状態である際に、入力された番号が、予めメモリに記憶した電話番号の上複数桁と同一であると、キーロック状態を解除し、前記上複数桁の番号と続けて入力された電話番号とを、１つの電話番号として回線へ送出することを特徴とする。
【００１０】
請求項３記載の通信装置は、キーロック状態である際に、予め設定した市外局番が入力されるとキーロック状態を解除し、前記市外局番に続いて番号が入力されると、前記市外局番と当該市外局番に続いて入力された番号とを、１つの相手先の電話番号として回線へ送出することを特徴とする。
【００１１】
請求項４記載の通信装置は、電話番号を格納する電話番号格納手段と、電話番号を入力する為の電話番号入力手段と、キーロック状態で、前記電話番号入力手段から番号の入力があると、当該入力された番号が前記電話番号格納手段に格納されている電話番号の上複数桁と一致するか否かを判定し、一致すれば、キーロック状態を解除すると共に前記入力された上複数桁の番号と続いて前記電話番号入力手段から入力された番号とを、１つの電話番号として回線へ送出するように制御する制御手段と、を有することを特徴とする。
【００１２】
請求項５記載の通信装置は、電話番号を格納する電話番号格納手段と、電話番号を入力する為の電話番号入力手段と、キーロック状態で、前記電話番号入力手段から電話番号の入力があると、当該入力された電話番号の上複数桁が前記電話番号格納手段に格納されている電話番号と一致するか否かを判定し、一致すれば、キーロック状態を解除すると共に入力された電話番号を回線へ送出するように制御する制御手段と、を有することを特徴とする。
【００１４】
【発明の実施の形態】
図１は、本発明を適用してなる実施例装置である通信装置のブロック図である。
【００１５】
制御部１００は、例えばＲＯＭ（Ｒｅａｄ  Ｏｎｌｙ  Ｍｅｍｏｒｙ）からなる第１格納部１１０に格納されているシステムプログラムに基づいて以下で説明する各回路の制御を司る。
【００１６】
送受信部１２０はアンテナ１２１と接続されており、無線信号の送受信を行う。
【００１７】
入力部１３０は、テンキー、通話キー、切キー、機能キー、該機能キーを押下して項目（例えば、電話帳検索、アラームの設定、着信ランプの設定等）の選択を行う為のカーソル移動キー、メールの作成及び送受信を指示する為のメールキー等を有する。
【００１８】
第２格納部１４０は、相手先の電話番号と相手先の氏名とからなる電話帳データや、装置がキーロック状態であるか否かを示す情報（キーロックフラグ）、装置をキーロックした際にキーロック状態を解除する為のキーの押下順序を示す情報を格納する。
【００１９】
前記第２格納部１４０へのデータの格納形態として、例えば図４に示すような形態としている。図４において、各アドレスにキーの種類が対応付けられて格納可能であり、アドレスの数（本実施例では５つであるが、アドレスの数はそれ以上或いは未満でも良い）まで入力するキーの種類を登録可能である。又、アドレスは１番目から順に入力すべきキーの順序を示しており、例えば、図３の例で説明すると、一番目に入力すべきキーがアドレス１に格納された通話キーであり、２番目に入力すべきキーがアドレス２に格納されたテンキーの“１”である。ポインタは、次に入力しなければならないキーのアドレスを指示し、正しい順序で入力すべきキーが入力されると、前記ポインタはアドレス１から２、３へと順に指示する。
【００２０】
尚、第２格納部１４０の別の領域には上述した如く電話帳データも格納されるが、本実施例には直接関係がない為、説明を省略する。
【００２１】
第３格納部１７０は、ダイヤル発信時に前記入力部１３０のテンキーが押下される度に、押下されたテンキーに対応するダイヤル番号を格納する。又、本実施例では、キーロック状態を解除する為に、テンキーの“１”又は“０”を押下しなければならないように設定した場合、押下されたテンキーの“１”又は“０”に対応する“１”又は“０”の番号は前記第３格納部１７０に格納される。
【００２２】
表示部１５０は、電話番号や、キーロック状態時に前記第２格納部１４０に格納されているキーの種類と異なるキーが押下された際に暗証番号を入力するよう指示する旨（例えば、暗証番号を入力して下さい）を表示する。尚、暗証番号を入力して下さいという表示は、ユーザ以外の者が通信装置を使用しようとした場合にこの表示を見せ、暗証番号を入力しなければ装置を使用できないと思い込ませ、キーロックを解除する為に複数回暗証番号を入力しようと試みさせる為の表示である。しかし、実際は（テンキー以外のキーを含んだ）キー操作を行わなければキーロックを解除できない為、ユーザ以外の者が暗証番号の入力操作をしている限り、キーロックが解除されることはない。
【００２３】
スピーカ１６０は、アンプ１６５と接続され、着信時に呼び出し音を送出するだけでなく、キーロック状態時に前記第２格納部１４０に格納されているキーの種類と異なるキーが押下された際に警告音を出力する。
【００２４】
このような構成において、本願発明では、キーロックの解除方法をテンキーの押下（例えば、相手先電話番号の先頭の数字入力）とした場合に、キーロックの解除の為の入力があると、該入力されたキーのデータを第２格納部１４０に格納すると共に続いて入力されたキーのデータも第２格納部１４０に格納し、第２格納部１４０に格納された夫々のデータを一連のデータとして処理し、そして該データを相手先電話番号として発呼を行うものである。
【００２５】
以下、本施例装置の動作について説明する。
【００２６】
図２及び図３は、本実施例装置の動作を示すフロー図である。
【００２７】
Ｓ１ステップでは、制御部１００は、入力部１３０からキーロック状態とするように指示する旨の入力があると判定するとＳ４ステップへ処理を進め、そうでなければＳ２ステップへ処理を進める。
【００２８】
Ｓ２ステップでは、制御部１００は、入力部１３０からキーの入力を示す信号を検出するとＳ３ステップへ処理を進め、そうでなければＳ１ステップへ処理を戻す。
【００２９】
Ｓ３ステップでは、制御部１００は、前記Ｓ２ステップで入力されたキーに応じた処理（例えば、メール作成や電話帳検索等）を行い、Ｓ１ステップへ処理を戻す。
【００３０】
Ｓ４ステップでは、制御部１００は、キーロック解除の為のキー操作手順の登録動作を行う。具体的には、制御部１００は、表示部１５０にキーロック解除の為の操作手順を入力する旨の表示（例えば、キーロック解除手順入力）を表示させ、入力部１３０からキーの押下を検出すると、押下されたキーの種類とキーの押下手順を示すデータを第２格納部１４０に格納させる。例えば、通話キー、続くテンキーの“１”の押下を示す信号を入力部１３０から検出すると、図４に示すように前記第２格納部１４０の押下手順を格納する領域の１番目のアドレスに通話キー、２番目のアドレスにテンキーの“１”が押下されたことを示す情報を格納する。又、制御部１００は、第２格納部１４０に格納されているキーロックフラグをオンする（フラグ＝１にする）と共に第２格納部１４０に格納されているアドレスポインタをアドレス１にセットする。
【００３１】
尚、本実施例では、キーロック解除の為の操作は５つのキーによる押下手順まで登録可能であり、この為、第２格納部１４０にはアドレスが５つ存在している。又、本実施例では、２つのキーによる押下手順を格納する為にアドレスを２つ用いているが、キーの押下手順は１つのキーによるものでも良いし、３〜５つのキーによるものでも良い。更に、登録時に５つのキーが押下されると自動的に押下されたキーのデータが登録され、例えば、２つのキーが押下された場合には、この２つのキーの押下に続いて図示しない登録キーが押下されることにより、キーのデータが登録される。
【００３２】
続くＳ５ステップでは、制御部１００は、前記Ｓ４ステップで登録されたキーロック解除の為のキー操作が、テンキーの“０”又は“１”の押下のみであると判定すると図３に示すＳ１３ステップへ処理を進め、そうでなければＳ６ステップへ処理を進める。
【００３３】
尚、前記Ｓ４及びＳ５ステップにおいてテンキーの“０”又は“１”のキーと図示しない決定キーの押下がなされると、第２格納部１４０へのデータの格納形態は、例えば図５に示すようになり、第１アドレスにテンキーの“０”又は“１”が格納され、他のアドレスには何も格納されない状態となる。
【００３４】
Ｓ６ステップでは、制御部１００は、入力部１３０からキーの押下があると判定すると、Ｓ７ステップへ処理を進める。
【００３５】
Ｓ７ステップでは、制御部１００は、前記Ｓ６ステップにおいて、入力部１３０から入力されたキーの情報が、第２格納部１４０のアドレスポインタの指示する第ｎ（ｎは整数）番目のアドレスに格納されていると判定するとＳ１０ステップへ処理を進め、そうでなければＳ８ステップへ処理を進める。尚、制御部１００がＳ１〜Ｓ４ステップにおけるキーロック解除の為のキー登録処理を行い、初めてＳ７ステップを処理する場合には、第２格納部１４０のアドレスポインタが第１番目のアドレスを指定することとなる。
【００３６】
上記Ｓ７ステップの処理を具体的に説明すると、例えば、制御部１００が前記Ｓ４ステップで通話キー、続くテンキーの“０”の押下手順を登録処理し、続くＳ６ステップで通話キーの押下を検出した際には、Ｓ７ステップにおいて、第２格納部１４０のアドレスポインタが示す第１番目のアドレスに格納されている情報(通話キー)とが一致するか否か判定し、続いて制御部１００が後述するＳ１０、Ｓ１２ステップを処理し、Ｓ６ステップにおいて、テンキーの“１”が押下されたと判定すると、Ｓ７ステップにおいて、前記Ｓ６ステップで押下されたキー（テンキー“１”）と第２格納部１４０のアドレスポインタが示す第２番目のアドレスに格納されている情報（テンキーの“１”）が一致するか否か判定する。
【００３７】
Ｓ８ステップでは、制御部１００は、スピーカ１６０からビープ音を出力しユーザに押下すべきキーではない旨を報知すると共に、表示部１５０に例えば、「暗証番号を入力して下さい」と表示させ、Ｓ９ステップへ処理を進める。
【００３８】
Ｓ９ステップでは、制御部１００は、第２格納部１４０に格納されているアドレスポインタがアドレス１を指定するようにし、Ｓ６ステップへ処理を戻す。
【００３９】
Ｓ１０ステップでは、制御部１００は、アドレスポインタが指示するアドレスが、入力すべきキーの種類が格納された末尾のアドレスであると判定すると、キーロック解除の為のキー入力が行われたと判定し、Ｓ１１ステップへ処理を進め、一方、末尾のアドレスでないと判定すると、Ｓ１２ステップへ処理を進める。
【００４０】
Ｓ１１ステップでは、制御部１００は、キーロックフラグをオフ（フラグ＝０）にし、キーロック状態を解除すると共にアドレスポインタを１にし、Ｓ１ステップへ処理を戻す。
【００４１】
Ｓ１２ステップでは、制御部１００は、第２格納部１４０に格納されているアドレスポインタを１インクリメントさせ、Ｓ６ステップへ処理を戻す。
【００４２】
図３に示すＳ１３ステップでは、図２に示すＳ５ステップで、制御部１００が、前記Ｓ４ステップで登録されたキーロック解除の為のキー操作が、テンキーの“０”又は“１”の押下のみであると判定した場合に行われる処理であり、制御部１００は、入力部１３０からキーの押下を示す信号を検出するとＳ１４ステップへ処理を進める。
【００４３】
Ｓ１４ステップでは、制御部１００は、Ｓ１３ステップで検出したキー（“０”キー又は“１”キー）と第２格納部１４０に格納されているキーの押下手順が一致するか否かの判定を行う。具体的には、入力部１３０から入力されたキーの情報（“０”キー又は“１”キー）が、図５に示す如く第２格納部１４０のアドレスポインタの指示する第１番目のアドレスに格納されていると判定するとＳ１６ステップへ処理を進め、そうでなければＳ１５ステップへ処理を進める。
【００４４】
Ｓ１５ステップでは、制御部１００は、スピーカ１６０からビープ音を出力しユーザに押下すべきキーではない旨を報知すると共に、表示部１５０に例えば、「暗証番号を入力して下さい」と表示させ、Ｓ１３ステップへ処理を戻す。
【００４５】
Ｓ１６ステップでは、制御部１００は、キーロックフラグをオフ（フラグ＝０）にすると共にキーロック状態を解除し、Ｓ１７ステップへ処理を進める。
【００４６】
Ｓ１７ステップでは、制御部１００は、前記Ｓ１３ステップで入力された“０”又は“１”のデータを第３格納部１７０に格納し、Ｓ１８ステップへ処理を進める。
【００４７】
Ｓ１８ステップでは、制御部１００は、入力部１３０からキー入力があると判定するとＳ１９ステップへ処理を進める。
【００４８】
Ｓ１９ステップでは、制御部１００は、前記Ｓ１８ステップで入力されたキーがテンキーであると判定するとＳ２２ステップへ処理を進め、そうでなければＳ２０ステップへ処理を進める。
【００４９】
Ｓ２０ステップでは、制御部は、第３格納部１７０に格納されているダイヤル番号を消去させ、Ｓ２１ステップへ処理を進める。
【００５０】
Ｓ２１ステップでは、制御部１００は、前記Ｓ１９ステップで入力されたキーに対応する動作（例えば、メール受信等）を行い、図２に示すＳ１ステップへ処理を戻す。
【００５１】
Ｓ２２ステップでは、制御部１００は、前記Ｓ１９ステップで入力されたテンキーに対応するダイヤル番号を第３格納部１７０に格納し、Ｓ２３ステップへ処理を進める。
【００５２】
Ｓ２３ステップでは、制御部１００は、入力部１３０の通話キーの押下があると判定するとＳ２４ステップへ処理を進め、そうでなければＳ１８ステップへ処理を戻す。
【００５３】
Ｓ２４ステップでは、制御部１００は、前記第３格納部１７０に格納された電話番号のデータを送受信部１２０に出力し、前記送受信部１２０に変調及び送信動作を行わせる。相手側との発呼及び通話が終了すると、制御部１００は、図２のＳ１ステップへ処理を戻す。
【００５４】
尚、前記Ｓ２４ステップにおいて、通話を行うのではなく、第３格納部１７０に格納された電話番号を第２格納部１４０の電話帳メモリに登録する構成としても良い。このような構成とすると、電話帳メモリに電話番号を登録する際に、電話番号を入力すると自動的にキーロック状態を解除できる。
【００５５】
このように、本実施例では、キーロック状態を解除するキー入力として“０”又は“１”を設定した場合に、キーロック状態を解除する為に押下されテンキーの“０”、又は“１”は第３格納部１７０に格納される構成としている。このような構成としたのは、ユーザがテンキーを用いて相手先の電話番号を入力する際には、“０”から始まる電話番号が入力されるのが一般的であり、又、時報、電報、天気予報等のサービスを受けた時には、”１”から始まる電話番号を入力するからであり、このような構成とすることにより、ユーザが相手先の電話番号を入力する場合に限り自動的にキーロック状態を解除することができる。
【００５６】
又、本実施例では、テンキーの押下により第３格納部１７０に格納された電話番号を用いて発呼を行う構成としたが、予め第２格納部１４０に格納されているキーロック解除の為の番号を用いて発呼を行う構成にしても良い。このような構成とした場合、入力した番号を格納するメモリを別途設ける必要がなく、コストを抑えることができる。
【００５７】
更に、本実施例では、Ｓ１７、Ｓ２４ステップに示すように、キーロック解除のキー入力をキー入力直後の操作のキー入力としても有効にした。ここで、キーロック解除のキー入力と登録されているキー入力は同じである為に、キー入力でなく、登録されている方をキー入力直後の操作のキー入力として使用しても良い。例えば、Ｓ１７ステップではＳ１３ステップで入力された“０”または“１”のデータを第３格納部１７０に記憶させたが、Ｓ１７ステップではＳ４ステップで登録された“０”または“１”のデータを第３格納部１７０に記憶させても良い。
【００５８】
尚、本実施例では、携帯電話装置について実施したが、ＰＨＳ（Ｐｅｒｓｏｎａｌ  Ｈａｎｄｙｐｈｏｎｅ  Ｓｙｓｔｅｍ）等の他の通信装置についても同様に実施することが可能である。
【００５９】
又、本実施例では、“０”又は“１”キーが押下されるとキーロック状態を解除すると共に押下された“０”や“１”の番号を第３格納部１７０に格納する構成としたが、例えば、“０３”や“０７７５”といった市外局番が押下されると、キーロック状態を解除すると共に押下された“０３”や“０７７５”の番号を第３格納部１７０に格納する構成としても良い。この場合、予め、キーロック解除の為のキー入力登録をテンキーの“０３”だけでなく、“０７７５”や“０７５”といった複数の市外局番も登録する構成や、予め複数の市外局番或いは電話帳データをメモリに格納し、前記メモリ内の市外局番或いは電話帳データの市外局番部分とキー入力による電話番号との一致を判定し、一致した場合にキーロック状態を解除すると共に入力された番号を第３格納部１７０に格納する構成が考えられる。
【００６０】
更に、通話を行う際に使用される通話キーとテンキーを組み合わせたキーロック解除の為の操作を登録した場合、通話キーと続くテンキーが押下された際に、キーロックを解除すると共に続く入力がテンキー押下時にのみ、押下されたテンキーに対応するダイヤル番号をダイヤル発信させる構成としても良い。即ち、通話キーもキーロック解除後の動作として有効なキーとしても良い。このような構成としても又、キーロック状態でも即座に相手先へダイヤル発信を行うことができる。
【００６１】
その上、キーロック解除に使用するキーを、引き続き操作するキーとして兼用するキーは、テンキーを含まないもので良い。例えば、着信時に通話キーを連続２回押しても、即ち余分に１回押しても通話に支障がない仕様にする。そこで、キーロック解除として通話キーを２回登録する。この状態で着信したとき通話キー１回の操作ではキーロックが解除されない。２回の操作でキーロックが解除され、この登録されたキーが自動的に実行されて着信に応答し、通話可能な状態になる。
【００６２】
更に、キーロック解除の登録にキーを押下する時間を加えても良い。例えば、通話キーを押下して２秒経過するとキーロックを解除し、自動的に着信応答するようにしても良い。
【００６３】
その上、本実施例では、キーの登録後直ちにキーロック状態となったが、キー登録操作とキーロック状態の設定操作を分離させても良い。
【００６４】
【発明の効果】
本発明では、キーロック状態でも即座に相手先へダイヤル発信できる。
【図面の簡単な説明】
【図１】本発明を適用してなる実施例装置のブロック図である。
【図２】本実施例装置の動作を示すフロー図である。
【図３】本実施例装置の動作を示すフロー図である。
【図４】第３格納部１７０の格納形態を示す図である。
【図５】第３格納部１７０の格納形態を示す図である。
【符号の説明】
１００  制御部
１１０  第１格納部
１３０  入力部
１４０  第２格納部
１５０  表示部
１７０  第３格納部
【図１】
0003998500.tif 000002
【図２】
0003998500.tif 000003
【図３】
0003998500.tif 000004
【図４】
0003998500.tif 000005
【図５】
0003998500.tif 000006